(57)【特許請求の範囲】
【請求項１】
パルプ製造工程で、パルプ原料に希釈水を吹き付けて薬液を分離し、分離した薬液が同心円状に径方向に等間隔に配設したスクリーンプレートを通過して外部に排出されるディフュージョンウォッシャーの点検清掃時に、前記スクリーンプレートに洗浄水を洗浄用ノズルから噴射させて洗浄する際に利用するディフュージョンウォッシャーの洗浄補助装置において、
前記スクリーンプレートの上端に載置されると共に、前記洗浄水を噴射する洗浄用ノズルを保持するためのノズル保持部を有するノズル保持手段であって、
前記ノズル保持手段を前記スクリーンプレートに着脱自在とすると共に、装着した状態で該スクリーンプレートに沿って周方向に移動して洗浄用ノズルを案内することを特徴とするディフュージョンウォッシャーの洗浄補助装置。
【請求項２】
前記ノズル保持手段は、前記スクリーンプレートのうちの隣接する一対のスクリーンプレートに掛け渡される架台部と、
前記架台部に接合し、前記一対のスクリーンプレートのそれぞれに連繋させた脚部と、
前記架台部に形成して、前記洗浄用ノズルを挿通させる透孔からなるノズル保持部と、
前記架台部の下面に設け、前記スクリーンプレートの上端面を転動する上ガイドローラと、
前記脚部に設け、前記スクリーンプレートの円筒面に接触した場合に転動する下ガイドローラとからなることを特徴とする請求項１に記載のディフュージョンウォッシャーの洗浄補助装置。
【発明の詳細な説明】
【技術分野】
【０００１】
この発明は、パルプ原料の洗浄に用いられるディフュージョンウォッシャーのスクリーンプレートを、点検清掃時に洗浄する際に洗浄用ノズルを確実に保持させて洗浄作業を簡便に行えるようにするディフュージョンウォッシャーの洗浄補助装置に関する。
【背景技術】
【０００２】
製紙原料となるパルプの製造工程において、蒸解釜で煮沸されたパルプ原料は、蒸解釜から黒液と共に排出され、漂白設備からは漂白薬品と共に排出される。このため、このパルプ原料を希釈して薬液を分離させる必要があり、この薬液の分離のためにディフュージョンウォッシャーが用いられる。図５に示すように、このディフュージョンウォッシャー１では、逆円錐形のディフュージョンボックス２の下端部からパルプ原料を吹き込むと、吹き込まれたパルプ原料は上昇して、ディフュージョンボックス２内を上昇し、このディフュージョンボックス２の上部に配設されたスクリーンゾーン３に到達する。スクリーンゾーン３は複数枚の円筒状のスクリーンプレート４が径方向に等間隔で同心円状に配設されており、希釈水をパルプ原料に噴射して希釈され洗浄されることにより、パルプ原料中の薬液が分離される。スクリーンプレート４を通過した薬液はスクリーンゾーン３の外周部から集液管５を通って排出される。希釈されたパルプ原料は、スクリーンゾーン３を上昇し、スクリーンプレート４の上方に至ると、スクリーンプレート４の上部をこれらスクリーンプレート４に沿って周方向に回転するスクレーパー６により掻き取られる。そして、掻き取られたパルプ原料は原料管７から次工程へ供給される。
【０００３】
前記スクリーンプレート４は、パルプ上昇速度よりも僅かに早く上昇し、急速降下する上下運動を行っており、下降中にバックフラッシュを行うことによりスクリーンの目詰まりが防止されるようにしてある。しかしながら、ディフュージョンウォッシャー１は、連続運転されるパルプ製造工程の一部であるため、長期間の連続運転がなされる。このため、バックフラッシュによって十分に洗浄されず、薬液中のスケール成分が付着して目詰まりを起こす場合がある。パルプ製造工程では、工場を停止して一斉に補修等の作業を行う期間があり、この期間に合わせてディフュージョンウォッシャー１の点検を行うと共に、スクリーンプレート４を洗浄して目詰まりを除去することが行われている。
【０００４】
この点検時の洗浄は、作業員がスクリーンプレート４の上方から洗浄水用のノズルをそれぞれのスクリーンプレート４の間に差し込んで、スクリーンプレート４に向けて洗浄水を噴射させて行っている。このとき、作業員はスクリーンプレート４の上部に掛け渡した板材を足場として、前記洗浄用ノズルを保持しながら行っている。
【発明の開示】
【発明が解決しようとする課題】
【０００５】
上述したように、ディフュージョンウォッシャー１の洗浄は、作業員が足場用の板材に乗って行っているが、この足場は高位置となるから、作業は高所で行われる。洗浄水は勢いが強く噴射されるから、作業員は洗浄用ノズルの保持を確実に行うと共に、洗浄水の噴射の反力により足場を踏み外さないようにしなければならない。しかも、足場の板材が洗浄水で濡れ、滑りやすく、洗浄時の作業員には緊張が強いられており、したがって洗浄作業に相当の時間を要している。
【０００６】
そこで、この発明はディフュージョンウォッシャーの点検時に洗浄を行う際に、作業員への負担を軽減して、安全な洗浄作業を行えるようにしたディフュージョンウォッシャーの洗浄補助装置を提供することを目的としている。
【課題を解決するための手段】
【０００７】
前記目的を達成するための技術的手段として、この発明に係るディフュージョンウォッシャーの洗浄補助装置は、パルプ製造工程で、パルプ原料に希釈水を吹き付けて薬液を分離し、分離した薬液が同心円状に径方向に等間隔に配設したスクリーンプレートを通過して外部に排出されるディフュージョンウォッシャーの点検清掃時に、前記スクリーンプレートに洗浄水を洗浄用ノズルから噴射させて洗浄する際に利用するディフュージョンウォッシャーの洗浄補助装置において、前記スクリーンプレートの上端に載置されると共に、前記洗浄水を噴射する洗浄用ノズルを保持するためのノズル保持部を有するノズル保持手段であって、前記ノズル保持手段を前記スクリーンプレートに着脱自在とすると共に、装着した状態で該スクリーンプレートに沿って周方向に移動して洗浄用ノズルを案内することを特徴としている。
【０００８】
前記ノズル保持手段のノズル保持部に洗浄用ノズルを保持させた状態で、該洗浄用ノズルから洗浄水を噴射させる。このとき、作業員は洗浄用ノズルを保持する必要がない。このノズル保持手段をスクリーンプレートに沿って移動させながら、洗浄水を噴射すると、スクリーンプレートの全域を洗浄することができる。
【０００９】
また、請求項２の発明に係るディフュージョンウォッシャーの洗浄補助装置は、前記ノズル保持手段が、前記スクリーンプレートのうちの隣接する一対のスクリーンプレートに掛け渡される架台部と、前記架台部に接合し、前記一対のスクリーンプレートのそれぞれに連繋させた脚部と、前記架台部に形成して、前記洗浄用ノズルを挿通させる透孔からなるノズル保持部と、前記架台部の下面に設け、前記スクリーンプレートの上端面を転動する上ガイドローラと、前記脚部に設け、前記スクリーンプレートの円筒面に接触した場合に転動する下ガイドローラとからなることを特徴としている。
【００１０】
前記脚部を隣接するスクリーンプレートを挟む位置に位置させると、前記架台部がこれらスクリーンプレートに掛け渡された状態となる。前記ノズル保持部に洗浄用ノズルを挿通させると、該洗浄用ノズルがノズル保持手段に保持された状態となり、洗浄水を洗浄用ノズルから噴射させることにより、スクリーンプレートを洗浄することができる。また、ノズル保持手段をスクリーンプレートに沿って周方向に移動させると、洗浄位置を変更することができる。この移動は、前記上ガイドローラと下ガイドローラとに案内されるから、円滑に移動させることができる。
【発明の効果】
【００１１】
この発明に係るディフュージョンウォッシャーの洗浄補助装置によれば、洗浄用ノズルを保持させた状態でディフュージョンウォッシャーのスクリーンプレートを洗浄することができるから、作業員が洗浄用ノズルを保持する必要がない。このため、作業員が洗浄水の噴射による反力を受けることがなく、安定した洗浄作業を行うことができる。しかも、ノズル保持手段をスクリーンプレートの上端で移動させることにより洗浄位置を簡便に変更することができ、スクリーンプレートの全域を確実に洗浄できる。なお、ノズル保持手段は、作業員の人力により移動させることができるが、モータ等の駆動装置の出力を伝達機構を介して伝達させることにより移動させることもできる。
【００１２】
また、請求項２の発明に係るディフュージョンウォッシャーの洗浄補助装置によれば、簡単な構造のノズル保持手段により確実に洗浄用ノズルを保持させることができる。しかも、ガイドローラによりノズル保持手段の移動を案内するから、ノズル保持手段を円滑に移動させることができて、洗浄作業をより円滑に行うことができる。したがって、ディフュージョンウォッシャーの点検時に短時間で洗浄作業を完了することができ、円滑な点検作業を行うことができる。
【発明を実施するための最良の形態】
【００１３】
以下、図示した好ましい実施の形態に基づいて、この発明に係るディフュージョンウォッシャーの洗浄補助装置を具体的に説明する。
【００１４】
図１はこの発明に係るディフュージョンウォッシャーの洗浄補助装置20に洗浄用ノズル30を保持させた状態を、一部を省略して示している概略の斜視図である。また、図２はこの洗浄補助装置20をディフュージョンウォッシャー１のスクリーンプレート４に装着した状態を、一部を省略して示す概略の斜視図であり、図３は平面図、図４は正面の断面図である。図３に示すように、４枚の円筒状のスクリーンプレート４が径方向にほぼ等間隔に取付アーム11に取り付けられている。なお、これらスクリーンプレート４を内側のものから順にスクリーンプレート4a、4b、4c、4dとする。これらスクリーンプレート4a、4b、4c、4dの間位置に、希釈水を噴射するノズル10が配されている。これらノズル10はスクリーンプレート４の上方に配されたスクレーパー６に垂下させた状態で支持されて、スクリーンプレート４の軸を中心として、スクレーパー６と共に旋回する。
【００１５】
そして、この洗浄補助装置20は前記スクリーンプレート4a、4b、4c、4dのうちの隣接するスクリーンプレート4a、4b、4c、4dに掛け渡して取り付けられる。このため、洗浄補助装置20は隣接したスクリーンプレート４の上方に配される架台部21と、この架台部21の対向した位置にある端部であって、スクリーンプレート４の径方向にある端部のそれぞれに接合された脚部22とを主体として構成されている。
【００１６】
前記架台部21の端部を、隣接するスクリーンプレート４を通過した位置まで伸張させることにより、前記脚部22が隣接するスクリーンプレート４のそれぞれを挟む位置に位置するようにしてある。この脚部22のそれぞれの先端部には、スクリーンプレート４の軸方向と平行な方向を軸として回転自在な下ガイドローラ23が設けられている。また、前記架台部21の下面には、スクリーンプレート４の径方向と平行な方向を軸として回転自在な上ガイドローラ24が設けられており、洗浄補助装置20はこの上ガイドローラ24により、架台部21が掛け渡された一対のスクリーンプレート４のそれぞれの上端面に載置されるようにしてある。
【００１７】
架台部21の一部であって、掛け渡された一対のスクリーンプレート４の間位置に対応した位置には、図２に示すように透孔25が形成されており、この透孔25を臨んで、図１に示すようにノズルブラケット26が上方に伸張させて設けられている。また、架台部21の一端部の上面にはノズルブラケット26が上方に伸張させて設けられている。これらのノズルブラケット26には、Ｕボルト32等の固定手段を用いて、短管等により形成された円筒状のノズルホルダ31が取り付けられている。なお、前記透孔25を臨んだノズルブラケット26に取り付けられたノズルホルダ31は、該透孔25に遊挿させてある。これらノズルホルダ31には、該ノズルホルダ31の側壁を貫通した固定ネジ31aが設けられている。なお、この固定ネジ31aは、図１に示すように、蝶ネジとすれば操作性が向上して好ましい。前記ノズルホルダ31には、図１に示すように、前記洗浄用ノズル30を遊挿させることできるようにしてあり、該洗浄用ノズル30を遊挿させた状態で前記固定ネジ31aを締め付けることにより、ノズルホルダ31に洗浄用ノズル30が固定されるようにしてある。なお、洗浄用ノズル30には、洗浄水を流通させるホース33が接続されている。なお、この洗浄補助装置20は、図１及び図２に示すように、帯板材を溶接等によって接合して組み立てることにより、取り扱いに便となる重量となるようにすることが好ましい。
【００１８】
以上により構成されたこの発明に係るディフュージョンウォッシャーの洗浄補助装置の作用を、以下に説明する。
【００１９】
パルプ製造工程が定期点検等で停止した場合には、ディフュージョンウォッシャー１も停止するので、その際にディフュージョンウォッシャー１の洗浄を行う。この際にはスクリーンプレート４の目詰まりを除去するために、洗浄水を吹き付けて洗浄する。
【００２０】
前記洗浄補助装置20を、洗浄すべき一対の隣接したスクリーンプレート４に掛け渡して設置する。このとき、前記脚部22が隣接した一対のスクリーンプレート4a、4bのうちの外側にあるスクリーンプレート4bの外側と、内側にあるスクリーンプレート4aの内側とに位置するようにして、架台部21をこれらスクリーンプレート4a、4bを跨いだ状態とする。また、このとき、前記上ガイドローラ24がスクリーンプレート4a、4bの上端面に載置されるようにする。この状態で、前記下ガイドローラ23のそれぞれが、スクリーンプレート4aの内側面とスクリーンプレート4bの外側とを臨むように位置することになる。
【００２１】
この洗浄補助装置20の前記架台部21に取り付けられたノズルブラケット26のそれぞれに固定されているノズルホルダ31に、洗浄用ノズル30を遊挿すると共に、前記固定ネジ31aを締め付けて洗浄用ノズル30をノズルホルダ31に保持させて、該洗浄用ノズル30の先端部をスクリーンプレート4a、4bの間に位置させる。この状態で、洗浄用ノズル30は先端をスクリーンプレート4a、4bの間位置に位置した状態で洗浄補助装置20に保持される。この洗浄用ノズル30から洗浄水を噴射させながら、作業員が洗浄用ノズル30の噴射方向を、洗浄水がスクリーンプレート4a、4bに吹き付けられるように調整する。
【００２２】
スクリーンプレート4a、4bの洗浄は、洗浄補助装置20をスクリーンプレート4a、4bに沿って移動させながら行う。この移動は作業員が洗浄補助装置20を押動させることにより行うことになるが、前記上ガイドローラ24がスクリーンプレート4a、4bの上端面を転動することにより、該洗浄補助装置20を円滑に移動させることができる。また、移動の際にスクリーンプレート4a、4bの上端面からずれようとした場合には、前記下ガイドローラ23がスクリーンプレート4a、4bのいずれかに当接するから、上ガイドローラ24が上端面から外れることがない。なお、以下に述べるように、作業員の人力によらずに、モータの動力を利用して移動させることもできる。
【００２３】
ディフュージョンウォッシャー１のスクレーパー６には前記ノズル10が垂下しているが、このノズル10はディフュージョンウォッシャー１内をモータにより旋回する。このため、洗浄補助装置20を、ブラケット等を用いてノズル10に連繋させれば、このノズル10を旋回させることにより洗浄補助装置20を旋回させることもできる。このとき、ディフュージョンウォッシャー１の動作時のノズル10の旋回速度よりも低速で洗浄補助装置20を移動させることが好ましい。なお、ノズル10を旋回させるモータの出力軸を手動により回転させても、洗浄補助装置20を移動させることができ、洗浄補助装置20の移動速度を小さくできるので、手動あるいは外部動力によりモータの出力軸を回転させることも好ましい。
【００２４】
前記洗浄補助装置20を360°の範囲で移動させたならば、前記洗浄用ノズル30の高さ位置を変更して、洗浄範囲を異ならし、前述と同様にスクリーンプレート4a、4bを洗浄する。この動作を繰り返して、当該時に洗浄用ノズル30が臨んでいるスクリーンプレート4a、4bの洗浄を行う。
【００２５】
また、スクリーンプレート4a、4bの洗浄が完了したならば、スクリーンプレート4c、4dに掛け渡されるように洗浄補助装置20を設置し直して、前述と同様に、洗浄水を洗浄用ノズル30から噴射させて、これらスクリーンプレート4c、4dの洗浄を行って目詰まりを解消する。
【００２６】
スクリーンプレート４を洗浄する際には、作業員は洗浄用ノズル30を保持する必要がない。このため、洗浄水の噴射による反力を受けることがなく、洗浄作業をより安全に行うことができる。しかも、洗浄補助装置20を円滑に移動させることができるから、作業効率を向上させて、洗浄作業を短時間で行える。
【産業上の利用可能性】
【００２７】
この発明に係るディフュージョンウォッシャーの洗浄補助装置によれば、洗浄作業を、簡便、且つ、より安全に行うことができ、洗浄作業の効率化を図り、点検作業に要する時間の短縮化に寄与する。
【図面の簡単な説明】
【００２８】
【図１】この発明に係るディフュージョンウォッシャーの洗浄補助装置の洗浄用ノズルを保持させた状態を、一部を省略して示す概略の斜視図である。
【図２】この発明に係るディフュージョンウォッシャーの洗浄補助装置を、ディフュージョンウォッシャーのスクリーンプレートに装着した状態の斜視図であり、洗浄用ノズルを保持させていない状態を示している。
【図３】図２に示した状態の平面図である。
【図４】図２に示した状態の正面図であり、一部を切断して示している。
【図５】ディフュージョンウォッシャーの概略構造を説明する図で、一部を破断して示す斜視図である。
【符号の説明】
【００２９】
１  ディフュージョンウォッシャー
２  ディフュージョンボックス
３  スクリーンゾーン
４  スクリーンプレート
６  スクレーパー
10  ノズル
20  洗浄補助装置
22  脚部
23  下ガイドローラ
24  上ガイドローラ
25  透孔
26  ノズルブラケット
30  洗浄用ノズル
31  ノズルホルダ
31a  固定ネジ
32  Ｕボルト
33  ホース
【図１】
0005063265.tif 000002
【図２】
0005063265.tif 000003
【図３】
0005063265.tif 000004
【図４】
0005063265.tif 000005
【図５】
0005063265.tif 000006